(57)【要約】      （修正有）【課題】名札を使用する側からも、名札を視認する側からも、それぞれに必要としたい情報やデザイン性を高めた表現を簡単容易に追加変更できるようにした名札ケースを提供する。【解決手段】名札ケース１は、名札１０を装着し保持する透明素材で構成された名札装着保持部２と、名札装着保持部２の上部に形成された衣服等の被取付物を挟持するクリップ部材若しくは首掛けストラップの取付部材が取り付けられる連結部３とからなり、名札装着保持部２に装着保持される名札サイズとほぼ同サイズの透明素材シート５が装着保持された名札１０の前面に装脱着可能に設けられるとともに、透明素材シート５を名札の前面に装着した際の名札１０の周縁部に沿って重なり合う透明素材シート５周縁部に、任意の模様や図柄や色などでデザイン表示がされたデザイン表示部６が形成されている。【選択図】図１
0003218477.tif 000002
【実用新案登録請求の範囲】
【請求項１】
名札を装着し保持する透明素材で構成された名札装着保持部と、当該名札装着保持部の上部に形成された衣服等の被取付物を挟持するクリップ部材若しくは首掛けストラップの取付部材が取り付けられる連結部とからなる名札ケースであって、
上記名札装着保持部に装着保持される名札サイズとほぼ同サイズの少なくとも１枚以上の透明素材シートが装着保持された名札の前面に装脱着可能に設けられるとともに、
当該透明素材シートを名札の前面に装着した際の名札の周縁部に沿って重なり合う透明素材シート周縁部に、任意の模様や図柄や色などでデザイン表示がされたデザイン表示部が設けられてなることを特徴とする名札ケース。
【考案の詳細な説明】
【技術分野】
【０００１】
本考案は、安全ピンやクリップを介して胸元ポケットなどの衣類に取り付けて使用されたり、首掛けストラップの取付具に取り付けられ胸前にぶら下げて使用される名札ケースに関する。
【背景技術】
【０００２】
従来、透明素材で形成された収納部に名札を収納して使用される名札ケースは、収納された名札の表面を前面に向けて安全ピンや着脱具としてのクリップによって使用者の衣類の胸元ポケットなどに取り付けるようにしている。また、最近では、首掛けストラップの取付具に取り付けて使用されることが多くなっている。
【０００３】
このように名札ケースについては、安全ピンを使用して衣類に装着すると、衣類の生地を傷めたり、誤った操作で使用者にピン先で怪我をさせたりする場合が生じるため、安全面を考慮してクリップ式のもので胸元ポケットに取り付けたり、首掛けストラップを使用する場合が一般的になってきている。そのため、本出願人によっても、クリップ式のものでは、名札ケースの取り付けをより安全スムースに、またケースの表裏面を回動出来るようにしたものや（特許文献１）、首掛けストラップ式のもので使用者の体格の違いに応じて着脱を容易にしたもの（特許文献２）が提案されている。このように、名札ケース自体の取り付けを如何に安全、容易に行えるようにするといった取付具の構造的な改良工夫が数多く提案されている。
【先行技術文献】
【特許文献】
【０００４】
【特許文献１】特許第４３１０４５４号
【特許文献２】特開２００４−５７２８９号
【考案の概要】
【考案が解決しようとする課題】
【０００５】
しかしながら、上記した従来の名札ケースでは、その衣服への取り付けや首掛けストラップへの取り付けにおいて、クリップの機構をターン式にして、衣服に取り付けたまま名札ケースの表裏を回動できるようにしたものや、名札ケースの着脱を容易にする取り付け具自体の構造を改良する提案のものが大半を占めており、ケース内に装着する名札そのものへの演出機能を高めるというものは全く提案されていなかった。すなわち、従来の名札ケースは、使用者が自分の名前を記載した名札若しくは名刺をケース内に装着し、名札に示された名前を対面者に直ぐに認識してもらえるようにするのが基本的で一義的な使用方法であった。名前を主として既に印字された文字情報のみを表示していたものである。
【０００６】
名札ケースが使用される場面は、来店客に対してサービスを提供する店側スタッフの名前を明示したり、大きな組織内のスタッフ同士がそれぞれの所属部署や名前を認識しあえるようにしたり、多数が参加するパーティーやイベント会場で自己紹介を円滑にするために使用するといったことが一般的であるが、名札に示された名前情報のみが示されるだけであり、使用者の名前以外の属性情報などを新たに付加しようとすると、新規内容の名札そのものを交換する必要があり、使用者が数種類の名札や名刺を用意しなければならなかった。また、使用者自身が、一度作成された名札の表現態様を変更して自身の印象を高めたいと思うような場合でも、名札自体に新たなデザインを加えるといった作業が必要であった。
【０００７】
特に、昨今、流行りの婚活など人と人の出会いを提供するようなパーティーや、企業と就職希望者を紹介し合うようなイベントでは、主催者側でも参加者の名前を認識するのみならず、その参加動機なども含めた参加者の要求事項や本人情報などが一目で視認できるような名札の使用が行われば、主催運営上も好ましく、また、人との出会い目的の場合には、参加者同士も最低限必要とする情報が名札から認識でき、また使用者の助けになるような自己演出を図ることができれば、単刀直入なアプローチもし易くなるなど相互のコミュニケーションを高めるといった機能性を高めることにもなる。しかしながら、従来の名札ケースでは、上記したように名前などの固定情報を表記した名札そのものを装着して衣服などへ取り付けやすくできるようにするのみで、このような追加情報やデザインを付加するといった機能を発揮できないという問題があった。
【０００８】
そこで、本出願人は、名前などを予め表記された名札や名刺を装着して保持し、取り付け具を介して衣服や首掛けストラップに取り付けるだけではなく、名札を使用する側からも、名札を視認する側からも、それぞれに必要としたい情報やデザイン性を高めた表現を簡単容易に追加変更できるようにした名札ケースを提供することを目的とする。
【課題を解決するための手段】
【０００９】
上記の課題を解決するために、本考案は、次のように構成した。すなわち、本考案に係る請求項１に記載の名札ケースは、名札を装着し保持する透明素材で構成された名札装着保持部と、当該名札装着保持部の上部に形成された衣服等の被取付物を挟持するクリップ部材若しくは首掛けストラップの取付部材が取り付けられる連結部とからなる名札ケースであって、上記名札装着保持部に装着保持される名札サイズとほぼ同サイズの少なくとも１枚以上の透明素材シートが装着保持された名札の前面に装脱着可能に設けられるとともに、当該透明素材シートを名札の前面に装着した際の名札の周縁部に沿って重なり合う透明素材シート周縁部に、任意の模様や図柄や色などでデザイン表示がされたデザイン表示部が形成されていることを特徴としている。
【考案の効果】
【００１０】
本考案にかかる名札ケースによれば、名札装着保持部に装着保持される名札サイズとほぼ同サイズの少なくとも１枚以上の透明素材シートが装着保持された名札の前面に装脱着可能に設けられているので、この透明素材シートを１枚毎に名札の前面に装着することも脱着することもできる。また、当該透明素材シートには、名札の前面に装着した際の名札の周縁部に沿って重なり合う透明素材シートの周縁部に、任意の模様や図柄や色などでデザイン表示がされたデザイン表示部が形成されているので、透明素材シートを名札の前面に装着すると、このデザイン表示部におけるデザイン表示部分が名札の中心に表記された名前の周囲に配置されたように見えることになる。
【００１１】
このデザイン表示部のデザインを色的に色分け変更したり、異なるキャラクターを表示したり、ストーリー性を持たせるなどして変更することができるので、例えば、色分けごとにグループ分けの意味を持たせたり、表示されるキャラクターの違いで使用者の性格や嗜好タイプの違いといった意味合いを示すことなど、色々な使用状況下に応じて名前だけに限らない様々な情報をデザイン表示部によって簡単に追加変更提示することができ、しかも視認によって即座にその意味合いを把握させることができる。
【図面の簡単な説明】
【００１２】
【図１】（ａ）本考案の名札ケースの実施例を示す図である。（ｂ）本考案の名札ケースに装脱着される透明素材シートの構成を示す図である。（ｃ）本考案の名札ケースに装着される名札を例示する図である。
【図２】実施例に係る名札ケースに名札及び透明素材シートを装着した状態を示す図である。
【図３】実施例に係る名札を首掛けストラップに取り付けて使用した状態を示す図である。
【図４】（ａ）（ｂ）（ｃ）実施例の名札ケースに装脱着される透明素材シートの各種例を示す図である。
【考案を実施するための形態】
【００１３】
以下、本考案の実施の形態について図面に基づき説明する。
【００１４】
図１（ａ）は、本考案の実施例である名札ケース１の構成を示す図である。同図において、名札ケース１は、内部に名札を装着し保持する透明素材で構成された名札装着保持部２と、名札装着保持部２の上部に形成された連結部３とで構成されている。名札装着保持部２は、上記連結部３との境界に開口部４が形成され、この開口部４から名札装着保持部２の内部に図１（ｃ）に示す名札１０が装着される。連結部３は、図示のように、孔部として形成され、この孔部に衣類等の被取付物を挟持するクリップ部材７若しくは首掛けストラップの取付部材７が取り付けられ、名札ケース１がこれら取付部材７に連結される。
【００１５】
図１（ｂ）は、名札装着保持部２に装着保持される名札１０のサイズとほぼ同サイズに形成された透明素材シート５の構成を示す図で、透明素材シート５の周縁部には、模様や図柄や色などでデザイン表示がされたデザイン表示部６が形成されている。この透明素材シート５は、名札装着保持部２内に装着保持された名札１０の前面に装脱着可能に設けられており、透明素材シート５を名札１０の前面に装着することも脱着することもできる。
【００１６】
図２は、名札ケース１に名札１０を装着し、名札１０の前面に透明素材シート５を装着するとともに、名札ケース１の連結部３にクリップなどの取付部材７が連結された使用直前の状態を示す図であり、同図に示すように、名札ケース１内に装着収納された名札１０の周縁部に、名札１０の前面に装着された透明素材シート５の周縁部に形成されたデザイン表示部６が重なることで、デザイン表示部６に形成された星印が名札１０に表記された名前の周囲に配置表示されたように見える外観になっている。
【００１７】
図３は、上記のように名札１０と透明素材シート５とが装着収納された名札ケース１を取り付け部材７によって首掛けストラップに取り付けて、使用者の胸元前にぶら下げて使用する状態を示す説明図であり、一般的な使用状態を示している。
【００１８】
図４（ａ）（ｂ）（ｃ）は、実施例の名札ケース１に装脱着される透明素材シート５の各種例を示す図であり、デザイン表示部６のデザインを色的に色分け変更したり、異なるキャラクターを表示したり、ストーリー性を持たせるなどして多種多様な表示変更を行うことができることを示している．このように複数の異なるデザイン表示された複数種類の透明素材シート５を準備しておき、これらを差し替えることにより、装着保持された名札１０に対して名前以外の情報を含む色々な演出効果を与えることができるようになる。
【００１９】
例えば、同図（ａ）に示すように、星型以外に正方形や三角形などの図形の種類表示や、着色による色分け表示をすることで、同じ図形や色ごとに集合させて一定のグループ分けを簡単に行うことができる。また、同図（ｂ）に示すように音符を表示することで、使用者が音楽好きであることも一目で分かるような使い方もできる。同図（ｃ）に示すように、動物などのキャラクターを表示することで、動物占い的な個性や人柄を示すといった遊び心を含んだ使用者自身のアピール演出に使用するようなこともできる。このように、透明素材シート５を差し替えることで、色々な使用状況下に応じて名前だけに限らない様々な情報を当該シートのデザイン表示部７によって簡単に変更追加などの提示を行うことができる。
【００２０】
したがって、本考案に係る名札ケース１を使用することにより、来店客に対してサービスを提供する店側スタッフの名前を明示する際に、商品の種類を示す絵柄を透明素材シート７に表記しておけば、即座に何の担当しているスタッフかを見分けることできる。また、季節や売り物特価など時期によって異なる演出表現も簡単にシートを差し替えるだけで容易に実施することができるようになる。
【００２１】
上記したように、本考案の名札ケースによれば、本来の名札によって示される名前以外の様々な使用状況下における必要な情報が、デザインの内容を対面者の視認によって直感的に把握できるようにするなど、色々なアイデアにより多種多様な演出を図る使用が可能になる。
【産業上の利用可能性】
【００２２】
本考案に係る名札ケースによれば、婚活など人と人の出会いを提供するようなパーティーや、企業と就職希望者を紹介し合うような各種のイベントにおいて有効に使用することできる。つまり、主催者側でも参加者の名前を認識するのみならず、その参加動機なども含めた参加者の要求事項や本人情報などが一目で視認できるような使用ができるため、主催運営上も好ましくなり、また、人との出会い目的の場合には、参加者同士も最低限必要とする情報が名札から認識でき、また使用者の助けになるような自己演出を図ることができる。このように相互のコミュニケーションを高めるといったことにも貢献できるので、その利用範囲は、各種イベント目的に応じてデザイン表示を変更することで臨機応変な使用が可能になるため、極めて広いものになる。
【符号の説明】
【００２３】
１  名札ケース
２  名札装着保持部
３  連結部
４  開口部
５  透明素材シート
６  デザイン表示部
７  取付部材
８  首掛けストラップ
10  名札
【図１】
0003218477.tif 000003
【図２】
0003218477.tif 000004
【図３】
0003218477.tif 000005
【図４】
0003218477.tif 000006